Podtech/llm-jp-corpus-v4-ja_patent huggingface dataset:
(57)【要約】【課題】本発明の目的は、特に歯科医学的に適用するための着色セラミックス焼結体の製造法等を提供する。【解決手段】本発明の着色セラミックス焼結体の製造法は、１種以上の着色剤を、乾燥した状態で粉末形で、製造すべきセラミックス体のベース組成物の原料に添加し、前記原料と乾燥した状態で均質に混合することを特徴とする。【選択図】なし【特許請求の範囲】
【請求項１】
特に歯科医学的に適用するための着色セラミックス焼結体の製造法において、１種以上の着色剤を、乾燥した状態で粉末形で、製造すべきセラミックス体のベース組成物の原料に添加し、前記原料と乾燥した状態で均質に混合することを特徴とする方法。
【請求項２】
Ａｌ2Ｏ3−、ＺｒＯ2−、Ｓｉ3Ｎ4−、ＭｇＯ−及びＳｉＡｌＯＮ−原料の着色のために、金属酸化物、例えば特にＦｅ2Ｏ3、ＣｅＯ2、Ｅｒ2Ｏ3、Ｐｒ6Ｏ11並びに希土類元素又は副族の元素を粉末形でベース組成物の原料に添加する、請求項１記載の方法。
【請求項３】
ベース組成物の原料と１種以上の着色剤とを乾燥混合し、かつ、加圧して成形半加工体とした後、予備焼結を行って白素地密度を２．８ｇ／ｃｍ3〜３．３０ｇ／ｃｍ3とする、請求項１又は２記載の方法。
【請求項４】
成形体を、それぞれの原料組成物に適合させた９５０℃〜１２００℃の温度で予備焼結する、請求項１から３までのいずれか１項記載の方法。
【請求項５】
予備焼結により生じたすでにくまなく着色された白素地の加工により、焼結体の最終形を達成する、請求項１から４までのいずれか１項記載の方法。
【請求項６】
硬質焼結又は緻密焼結を、それぞれの原料組成物に適合させた１１００℃〜１９００℃の温度で行う、請求項１から５までのいずれか１項記載の方法。
【請求項７】
粉末混合物を加圧して成形半加工体とした後、硬質焼結又は緻密焼結を行い、かつ焼結体の最終的な成形を、材料を除去する工具を用いた硬質加工により行う、請求項１又は２記載の方法。
【請求項８】
歯科医学において使用するための、請求項１から７までのいずれか１項記載の方法により製造された焼結体。
【請求項９】
歯科用インプラントとしての、請求項１から７までのいずれか１項記載の方法により製造された焼結体。
【請求項１０】
歯科補綴物としての、請求項１から７までのいずれか１項記載の方法により製造された焼結体。
【発明の詳細な説明】
【技術分野】
【０００１】
本発明の対象は、特に歯科医学的に適用するための着色セラミックス焼結体の製造法である。
【背景技術】
【０００２】
セラミックスは、その生体適合性のために、義歯学における有利な原料の１つである。Ａｌ2Ｏ3−、ＺｒＯ2−、Ｓｉ3Ｎ4−、ＭｇＯ−及びＳｉＡｌＯＮ−セラミックスは特に好適である。セラミックスの着色により、色を天然歯の色に適合させることのできる歯科補綴物を製造することができる。セラミックス体上に着色された層を別個の方法で施与するか、又は、セラミックス体の多孔質の表面層を着色剤の液体調製物に含浸させ、かつ後処理することは知られている。これは費用のかかる方法である。
【発明の概要】
【発明が解決しようとする課題】
【０００３】
本発明の課題は、付加的に卓越した機械的特性を示し、かつ予備焼結された状態で白素地として容易に加工が可能な、特に歯科医学的に適用するための着色セラミックス焼結体を製造することである。
【課題を解決するための手段】
【０００４】
前記課題の解決は、セラミックスを着色する１種以上の物質をセラミックスのベース組成物に粉末形で添加するという製造法により行われる。
【０００５】
前記方法の利点は、完全にくまなく着色されたセラミックス焼結体が生じることである。セラミックス体上に着色された層を別個の方法で施与するか、又は、セラミックス体の多孔質の表面層を着色剤の液体調製物に含浸させ、かつ後処理することは、もはや不要である。
【発明を実施するための形態】
【０００６】
着色剤として、酸化鉄（Ｆｅ2Ｏ3）の他に、他の金属酸化物、例えば特にＣｅＯ2、Ｅｒ2Ｏ3、Ｐｒ6Ｏ11並びに希土類元素又は副族の元素も好適である。
【０００７】
結果として、均一にくまなく着色されたセラミックス焼結体が得られ、前記セラミックス焼結体は、その白素地密度に基づき白素地として容易に加工できるため、この状態ですでに、例えばブリッジの形の歯科補綴物としての最終形が達成される。
【０００８】
粉末形のセラミックスベース組成物は、粉末形で添加すべき１種以上の着色剤と乾燥した状態で混合され、その後、材料に適合させた加圧により、有利に軸方向又は等方圧加圧により成形される。混合すべき物質の粒径は、混合物が均質となり、かつ偏析が生じないように相互に適合されている。前記粒径は、高強度のセラミックスの製造のために通常の、それぞれの原料に適合された範囲内である。
【０００９】
加圧された成形半加工体は、それぞれの原料に適合された９５０℃〜１２００℃の温度で予備焼結され、白素地密度は所定の２．８ｇ／ｃｍ3〜３．３０ｇ／ｃｍ3となる。予備焼結後に、旋削、フライス加工、研磨又は前記加工法の好適な組合せにより、白素地が最終形へと加工される。白素地の３点曲げ強さは４０ＭＰａ〜６０ＭＰａである。
【００１０】
加工の後、硬質焼結又は緻密焼結が、それぞれの原料組成物に適合させた１２００℃〜１９００℃の温度で行われる。必要な場合には、焼結を熱間等方圧加圧、ＨＩＰとして行うことができるか、又は、完全な緻密焼結のために更にＨＩＰ後処理が行われる。
【００１１】
加圧された成形半加工体を、直接、硬質又は緻密に焼結し、焼結体を、材料を除去する工具を用いた硬質加工により、例えばブリッジへと最終的な成形を行うという可能性も存在する。
【００１２】
実施例に基づき、本発明を詳説する。
【実施例】
【００１３】
くまなく着色された酸化ジルコニウム体を製造する。まず、材料調製を乾燥状態で行う。原料は以下のものから構成されている：
Ｙ2Ｏ3      ５．１５±０．２ｗ％
ＨｆＯ2     ＜４．０ｗ％
Ａｌ2Ｏ3    ０．２５±０．１５ｗ％
他の酸化物  ＜０．５ｗ％
Ｆｅ2Ｏ3    ０．０１ｗ％〜０．３０ｗ％
ＺｒＯ2     １００ｗ％までの残分
着色のためにベース組成物に添加されるＦｅ2Ｏ3の量は、要求される最終的な色に依存する。
【００１４】
乾燥混合の後、軸方向加圧及び９５０℃〜１２００℃の温度での予備焼結を行う。２．８ｇ／ｃｍ3〜３．３０ｇ／ｃｍ3の密度を有する白素地を、例えば、旋削又はフライス加工又は研磨によりその最終形にする。白素地の３点曲げ強さは４０ＭＰａ〜６０ＭＰａである。加工の後、硬質焼結又は緻密焼結を１１００℃〜１９００℃の温度で行う。焼結体は完全にくまなく着色されている。
(57)【要約】【課題】寒い時期を除きリュックサックを背負うことにより背中が蒸れて不快感を生じる。本発明は真夏でも背中の蒸れない装置を提供する。【解決手段】握りこぶし程度の直径で、リュックサックの横幅程度の長さの押しバネの両端に取付具を設置し、押しバネの両端切り落とし部分にカバーを設置する。以上のような構造を持つリュックサックと背中の間に空間を保持する装置【選択図】図１
2015029728.tif 000002
【特許請求の範囲】
【請求項１】
握りこぶし程度の直径で、リュックサックの横幅程度の長さの押しバネに取付具を設置し、押しバネの両端切り落とし部分にカバーを設置する。以上のような構造を持つリュックサックと背中の間に空間を保持する装置
【発明の詳細な説明】
【技術分野】
【０００１】
本発明は、リュックサックを背負うことで背中が蒸れるのを防ぐ装置である。
【背景技術】
【０００２】
登山者のみならず、街中でも老若男女に大小のリュックサック（デイパック、ナップザック）が普及している。しかし、寒い時期を除いて背中が蒸れるという欠点があり。これに対応する製品も案出されているが、いずれも適切な効果を上げているとは言えない。
【先行技術文献】
【特許文献】
【０００３】
【特許文献１】2007-313321
【発明の概要】
【発明が解決しようとする課題】
【０００４】
（イ）寒い時期を除きリュックサックを背負うことにより背中が蒸れて不快感を生じる。
（ハ）本発明は以上の問題点を解決するためになされたものである。
【課題を解決するための手段】
【０００５】
握りこぶし程度の直径で、リュックサックの横幅程度の長さの押しバネの両端に取付具を設置し、押しバネの両端切り落とし部分にカバーを設置する。以上のような構造を持つリュックサックと背中の間に空間を保持する装置。
【発明の効果】
【０００６】
真夏でも全く背中が蒸れることなくリュックサックを背負うことができる。
【図面の簡単な説明】
【０００７】
【図１】本発明の斜視図
【図２】本発明取り付け時の斜視図
【発明を実施するための形態】
【０００８】
以下本発明の実施の形態を説明する。
（イ）握りこぶし程度の直径で、リュックサックの横幅程度の長さの押しバネ（１）の両端に取付具（２）を設置する。
（ロ）押しバネ（１）の両端切り落とし部分にカバー（３）を設置する。
本発明は以上のような構造である。
本発明を使用するときは、押しバネ（１）の両端の取付具（２）をリュックサックのショルダーベルト（肩紐）に取り付ける。この状態で本発明が背中とリュックサックの間に適当な空間を形成し、背中が蒸れないように調整して背負う。押しバネ（１）は空間を保つとともに、横から圧力に対して適度に変形し反発することから、柔らかな当たりのクッションとして機能して快適である。また、荷重が軽減する感覚が得られる。さらに、押しバネであるから容易に圧縮してコンパクトに収容することができる。
【符号の説明】
【０００９】
１押しバネ、２取付具、３カバー、４リュックサック
【図１】
2015029728.tif 000003
【図２】
2015029728.tif 000004
(57)【要約】【課題】（イ）多くのホテルなどでは、洗濯物は浴槽の上に備えられたロープか、タンス内のパイプまたはハンガーに干す他はなく、必ずしも一晩で乾燥させることはできない。（ロ）連泊しない旅行者は、多くの着替え衣料を携行するか、コインランドリーなどで洗濯、乾燥のため２時間から３時間も拘束されることとなる。（ハ）本発明は以上の問題点を解決するためになされたものである。【解決手段】腕木の一端に吸盤を備え、ここに直接または横木を介して十文字ハンガーを取り付けた洗濯物干し装置。【選択図】図１
2015029739.tif 000002
【特許請求の範囲】
【請求項１】
腕木の一端に吸盤を備え、ここに直接または横木を介して十文字ハンガーを取り付けた洗濯物干し装置。
【発明の詳細な説明】
【技術分野】
【０００１】
本発明は、旅行先のホテルなどでの洗濯物を短時間で乾燥させる構造を備えた洗濯物干し装置である。
【背景技術】
【０００２】
旅行荷物の大小、軽重は着替え衣料の多寡によるところが大きい。宿泊先での洗濯物の乾燥が確実なら携行する着替えを少なく、荷物を小さく軽くすることができる。このため、旅行用の製品はいくつも案出されている。しかし、これまでの発明は、家庭用の製品の延長にあり、ホテルの部屋の特性と洗濯物を短時間で乾かすための原理を的確に踏まえて効果を発揮するものとは言い難い。
【先行技術文献】
【特許文献】
【０００３】
【特許文献１】特許公開２００５−１３７４６８
【発明の概要】
【発明が解決しようとする課題】
【０００４】
（イ）多くのホテルなどでは、洗濯物は浴槽の上に備えられたロープか、タンス内のパイプまたはハンガーに干す他はなく、必ずしも一晩で乾燥させることはできない。
（ロ）連泊しない旅行者は、多くの着替え衣料を携行するか、コインランドリーなどで洗濯、乾燥のため２時間から３時間も拘束されることとなる。
（ハ）本発明は以上の問題点を解決するためになされたものである。
【課題を解決するための手段】
【０００５】
腕木の一端に吸盤を備え、ここに直接または横木を介して十文字ハンガーを取り付けた洗濯物干し装置。
【発明の効果】
【０００６】
ホテルなどの室内で洗濯物を短時間で乾燥させることができる。
【図面の簡単な説明】
【０００７】
【図１】図１ 本発明の斜視図
【発明を実施するための形態】
【０００８】
以下本発明の実施の形態を説明する。
（イ）腕木（１）の一端に吸盤（２）を取り付ける。
（ロ）腕木（１）の別の端までの間に複数の十字型ハンガー（５）を吊下げ具（４）により取り付ける。
（ハ）腕木（１）に適宜横木（３）を取り付け、この横木から複数の十字型ハンガー（５）を吊下げ具（４）により取り付ける。
（ニ）十字型ハンガー（５）は幅に大小のある２枚の薄板を組み合わせたもので、２枚の交差する角度を随意に調整できる。また、この角度をゼロにして閉じることで２枚を重ねて収納することができる。
（ホ）十字型ハンガー（５）には上縁に複数の小さな凹部（５）を設ける。
本発明は以上のような構造である。
本発明を使用するときは、まず腕木（１）および横木（３）を吸盤（２）により室内の鏡または窓ガラスに取り付ける。次いで、バスタオルなどで十分に脱水した洗濯物を十字型ハンガー（５）に上下に開いた円筒状になるように取り付ける。下着やシャツ、パンツなどは、首穴などの開口部に畳んだ十字型ハンガー（５）を差し入れ、衣類内部でこれを交差するように開くことで容易に円筒状に干すことができる。その際凹部（５）に衣類の一部を差し込むことで衣類のずり下がりを防止する。これを腕木（１）および横木（３）に吊下げ具（４）により取り付ける。
洗濯物をより短時間で乾かすためには、空気が通る「空間」を確保すること、および空気の動きや風を利用して「空気の交換」を促すことが必要であることが知られている。本発明は十字型ハンガー（５）により、煙突効果の得られる空間を得ている。煙突効果とは濡れた洗濯物表面の空気が室温より低いため、円筒内の空気が上昇移動し、さらに下部から空気を引き込む現象を言う。また、ホテルなどの客室内の送風は、就寝者への直撃を避け入口天井付近からベッド足元の鏡台を経て窓ガラスに向かうものがほとんどである。本発明はここに着目して、室内の鏡または窓ガラスに取り付けるために吸盤（２）を備え、この空気の移動も得ている。
【符号の説明】
【０００９】
１腕木、２吸盤、３横木、４吊下げ具、５十字型ハンガー、６凹部
【図１】
2015029739.tif 000003
(57)【要約】【課題】従来の小学校の理科実験における、加熱・保温方法は、熱源にする湯だめの容器が無蓋であるため冷却が早く、教師は、交換用の熱湯を多量に沸かす傍ら、次々に冷めていく各班に赴き、冷めた湯を取り除きながら熱湯を注ぎ足す作業を、班当たり何回か行うものであり、教師の注意力の大半が、この作業に割かれなければならなかった上に、熱源の湯の温度が高いため、肝心の温めたい、あるいはある温度に保ちたい液体の温度は、めざす温度になりにくかった。【解決手段】保温性のある、容積６〜７リットルの有蓋プラスティック容器の蓋２に、温めたい液体を入れたビーカー４が、加熱用の湯に浸かる深さが自在に変えられるように、側面に山状のひだ７を設け、やや窮屈にしたテーパー状の穴３を設ける。【選択図】図２
2015029808.tif 000002
【特許請求の範囲】
【請求項１】
保温性のある蓋と、蓋に温める液体の入った入れ物を固定する穴と、温める液体の加熱用の湯を入れる容器本体とからなり、穴をテーパー状とし、穴に突起状のひだを設けることを特徴とする保温漕。
【発明の詳細な説明】
【技術分野】
【０００１】
この発明は、実験目的に合った液体温度を安全にしかも安定的かつ簡便に確保するために、蓋に穴を開けた保温性のある有蓋プラスティック容器に湯を入れて熱源とし、温めたい、あるいはある温度を保ちたい液体を入れたビーカーを蓋の穴から差し入れて、熱源の湯に浸かる深さを自在に調節しながら確保していく穴あき保温槽に関するものである。
【０００２】
従来の加熱・保温方法は、無蓋のプラスティック容器に、早く冷めることを見越した上で、小学生には火傷の危険が気になる高温（７０〜８０℃）の湯を張っておき、その中に温めたい、あるいはある温度に保ちたい液体を入れたビーカーを浸して実験目的に合った温度を確保していくものである。（大日本図書、東京書籍、啓林館、教育出版、学校図書、その他）
【発明の概要】
【発明が解決しようとする課題】
【０００３】
これは、次のような欠点があった。
従来の加熱・保温方法は、熱源にする湯だめの容器が無蓋であるため冷却が早く、教師は、交換用の熱湯を多量に沸かす傍ら、次々に冷めていく各班に赴き、冷めた湯を取り除きながら熱湯を注ぎ足す作業を、班当たり何回か行うものであり、教師の注意力の大半が、この作業に割かれなければならなかった上に、熱源の湯の温度が高いため、肝心の温めたい、あるいはある温度に保ちたい液体の温度は、めざす温度になりにくかったのである。
【課題を解決するための手段】
【０００４】
保温性のある、容積６〜７リットルの有蓋プラスティック容器の蓋２に、温めたい液体を入れたビーカー４が、加熱用の湯に浸かる深さが自在に変えられるように、側面に山状のひだ７を設け、やや窮屈にしたテーパー状の穴３を設ける。
本発明は、以上の構成よりなる、穴あき保温槽である。
【発明の効果】
【０００５】
本発明の穴あき保温槽は、本来持っている保温性に加え、従来使用していた無蓋の容器に対して有蓋で、穴あき部分にはビーカーが差し込まれていてほぼ密封状態であるため冷めにくく、熱源にする湯を一度入れたら取り替えることなく、小学校が行う９０分間の実験に対応できる保温性を担保できるとともに、穴に差し入れたビーカーが熱源の湯に浸かる深さを自在に調節することにより、ビーカー内の液体を実験目的に合った温度に安定的に確保できる上に、教師は湯の温度管理に注意の大半を割くことなく、本来の指導任務に専念できるなど多くの利点がある。熱源の湯は、無蓋のときより低温でよいので、より安全である。
【図面の簡単な説明】
【０００６】
【図１】本発明の保温漕の全体図である
【図２】本発明の保温漕の蓋の断面図である
【図３】本発明の穴およびひだを表す図面である。（ａ）は天井方向から見た図であり、（ｂ）は底面方向から見た図である。
【図４】本発明の保温漕の使用状態を表す図面である
【発明を実施するための形態】
【０００７】
以下、本発明を実施するための形態について説明する。
実験目的に合った液体温度を安全にしかも安定的かつ簡便に確保するために、容積６〜７リットルの、保温性のある有蓋プラスティック容器の蓋の中央部に、液体を温めるためのビーカーが、加熱用の湯に浸かる深さを自在に調節できるように、やや窮屈にするために、側面に山状のヒダを有するテーパー状の穴を設ける。
本発明は以上のような構造である。
【符号の説明】
【０００８】
１  容器本体
２  蓋
３  穴
４  ビーカー
５  加熱・保温したい液体
６  加熱用の湯
７  ひだ
【図１】
2015029808.tif 000003
【図２】
2015029808.tif 000004
【図３】
2015029808.tif 000005
【図４】
2015029808.tif 000006
(57)【要約】【課題】従来の防音マスクには発音が明確にできないという問題があった。これはマスク内面に空間がなかったためである。また発声の際発生する空気（息）が鼻周辺などから排出され使用者に不快感を与えていたが、これは空気（息）の排出口を設けていなかったためである。【解決手段】防音マスク内部に発声時唇がマスクに接触しないような空間を有する立体形状にし、マスク下部に発声時に発生する空気（息）を排出するための排出口を設けたことを特徴とする。【選択図】図２
2015029889.tif 000002
【特許請求の範囲】
【請求項１】
口部周辺を覆い、発声時唇がマスクに接触しないような空間を有する立体形状であり、マスク下部に発声時に発生する空気を排出するための排出口を設けたことを特徴とした防音マスク。
【請求項２】
外層が防音素材よりなり、その内面層は吸音、吸湿性の素材よりなることを特徴とする請求項１に記載の防音マスク。
【発明の詳細な説明】
【技術分野】
【０００１】  本発明は発声音を軽減する防音マスクに関する。
【背景技術】
【０００２】  従来の防音マスクはマイクロホンをマスクに内蔵しイヤホンを一体化したものがあった。（例えば特許文献１参照）
【先行技術文献】
【特許文献】
【０００３】  従来の携帯電話機のマイクロホンを内蔵した防音マスクは、防音マスク内部中間層のポリウレタン系素材にマイクを埋め込み、ケーブルにて携帯電話機に連結させ使用するものである。【０００４】
【特許文献１】実用新案登録第３１１３６０７号
【発明の概要】
【発明が解決しようとする課題】
【０００５】  以上述べた携帯電話機のマイクロホンを内蔵した防音マスクは、マスク本体が口周辺を覆うように顔面に密着したものであり、発声時唇が自由に動かせる為の工夫がなされていない。
また、積極的に空気（息）の排出口を設けていないため、発声時に発生した空気（息）は防音マスク上部鼻周辺より排出することが多く、使用者は眼に当たったり、眼鏡が曇るなど不都合があった。【０００６】  本発明はこのような従来の構成が有していた問題点を解決しようとするものであり、防音マスクとしての使用時に、唇が自由に動き、かつ使用時の不快要素を取り除くことを目的とするものである。
【課題を解決するための手段】
【０００７】  口部周辺を防音マスクで覆い、発声時唇がマスクに接触しないよう内面に空間を有する立体形状にすると共に、マスク下部に発声時に発生する空気を排出するための排出口を設けたことを特徴とする。【０００８】  また、空間を有するマスク内面に吸音、吸湿性に適した布、部材を重ねることで発声時のマスク本体に生じる反響を軽減し、その際発生する湿気を吸湿する。
【発明の効果】
【０００９】  上述したように本発明の防音マスクは、マスク内面に唇が接触しないような空間を設けたことで、発声時唇が自由に動かすことができ発声が容易になった。
従って自宅でのカラオケの練習やストレス解消に大声を出すなどの際に、唇を正確に動かすことができると共に、この防音マスクを使用することで周囲に迷惑をかける可能性は少なくなる。
また、防音マスクに使用するポリウレタン系素材は気密性が高く発声時の空気（息）の排出口が重要であるため、その排出口をマスク下部に設け排出を容易にした。
さらに、発声時マスク内に発生する反響や湿気も吸音、吸湿布部材を用い積極的にこれらを取り除くことで、使用者の不快感を軽減できるものである。また、使用後汚れたときは内部吸音吸湿布、部材２と通気性のある布、部材が一体化したもの６を取り外し交換することで清潔を保てるうえ安価である。
【図面の簡単な説明】
【００１０】
【図１】  本発明防音マスクの実施形態を示す正面図
【図２】  同実施形態を示す側面図
【図３】  同実施形態を示す側断面図
【図４】  同実施形態を示す内面断面図
【発明を実施するための形態】
【００１１】  以下、本発明の実施の形態を図１〜図４に基づいて説明する。
【００１２】  図１においては、防音マスク１は、マスクの下部に設けられた排出口３を有し、耳かけ５により顔面の口部周辺に装着される。
【００１３】  図２においては、防音マスク１は唇がマスクに接触しないような空間４を有するように立体形状となっている。すなわち、口部周辺では顔面に密着し、唇の自由な動きを可能とするための空間４が形成された、立体的な３次元形状を有する。立体形状とするために、マスク本体１ａを構成するポリウレタン系素材の口を中心とした上下及び左右部分に、ダーツが形成されている。
ダーツ形成に代えて、前記ポリウレタン系素材をプレス加工して空間４を有する立体形状にしてもよい。
内面に吸音吸湿の機能を有する布２を取り付け、発声時ポリウレタン系素材からなるマスク本体１ａに生じる反響を軽減し、その際生じる湿気を吸湿させる。
さらにマスク本体１ａの下部に通気性のある布からなる排出３が形成されており、発声時に発生する空気（息）はこの排出口３からのみ排出される。吸音吸湿性の布２と排出口３を形成する布は、分離しても良いし、図４に示すように一体化していてもよい。
【００１４】  図３は防音マスク１の断面図である。凸面が外側でマスク本体１ａはポリウレタン系素材からなる。その内面には吸音吸湿性の布２が設けられる。この布２は柔軟性があり、マスク本体１ａの立体形状に沿って嵌め込まれる。
マスク下部には通気性のある布が設けられ、排出口３を構成している。すなわちこの布３は発声時に発生する空気（息）を防音マスクの外へ排出するための排出口３を形成する。
【符号の説明】
【００１５】１    防音マスク
１ａ  防音マスク本体
２    吸音吸湿性布
３    排出口
４    空間
５    耳かけ
【図１】
2015029889.tif 000003
【図２】
2015029889.tif 000004
【図３】
2015029889.tif 000005
【図４】
2015029889.tif 000006
(57)【要約】【課題】店頭における販売促進用の什器の形状及び構造を提供する。【解決手段】折り畳み構造とし、使用の際には折り畳まれた什器を開き前面の商品サンプルの収納部分の裏側にあるストッパーを指先で押し込むだけの簡単な動作で使用可能な点を特徴とする什器である。また、折り畳まれた状態が平たい面の形状であることから、メール便などの軽量な荷物向けの輸送サービスを利用して発送することで設置店舗への輸送コスト削減した点を特徴とする什器である。【選択図】図５
2015029887.tif 000002
【特許請求の範囲】
【請求項１】
店頭での販売促進の用途に向いた複数の広告訴求面及び前面に商品サンプルの収納部分及び複数本の販売用商品収納スペースを持ち合わせた什器でありながら、折り畳み構造となっており、使用する際は折り畳まれた什器を広げ、前面の試用品サンプル入れの裏側にあるストッパー爪を指先で押し込むだけの簡単な動作で使用可能な状態となる点を特徴とする什器である。
【請求項２】
折り畳まれた状態が平たい面の形状であることから、より安価な輸送サービスを利用して発送することで設置店舗への輸送コスト削減した点を特徴とする什器である。
【発明の詳細な説明】
【技術分野】
【０００１】本発明は、店頭における販売促進用の什器の形状及び構造に関するものである。
【背景技術】
【０００２】従来の紙製什器は組立式として発送時に小型化され、使用時に組み立てる構造のものがある。
【発明の概要】
【発明が解決しようとする課題】
【０００３】しかしながら、従来の組立式什器は組立て作業が面倒であったり容易でないなど設置店舗の従業員に掛かる負担が多く、組立前の状態が十分小型化されていない場合、設置店舗までの輸送コストに問題がある。
そこで、本発明は、組立前の状態の小型化と組立て容易な構造を課題とする。
【課題を解決するための手段】
【０００４】以上の課題を解決するために、第一発明は、折り畳み構造とすることで、使用の際には折り畳まれた什器を開き前面の試用品サンプル入れの裏側にあるストッパー爪を指先で押し込むだけの簡単な動作で使用可能な点を特徴とする什器である。
また、第二発明は、折り畳まれた状態が平たい面の形状であることから、メール便などの軽量な荷物向けの輸送サービスを利用して発送することで設置店舗への輸送コスト削減した点を特徴とする什器である。
【発明の効果】
【０００５】第一発明、または第二発明によれば、設置店舗の従業員の手先の器用さに依らず、簡単な動作により使用可能な状態への変形を可能とした。更に安価な輸送サービスが利用可能となり、輸送コスト削減を実現した。
【図面の簡単な説明】
【０００６】
【図１】本発明の組立て前の形態を示す斜視図である。
【図２】本発明の組立て時の形態を示す斜視図である。
【図３】本発明の組立て時における前面広告面（２）を背面から見た形態を示す斜視図である。
【図４】本発明の組立て時におけるストッパー爪（７）を指（１０）で押しこむ形態を示す斜視図である。
【図５】本発明の組立て後の形態を示す斜視図である。
【図６】本発明の店頭での使用形態を示す斜視図である。
【発明を実施するための形態】
【０００７】什器の本体（１）は紙製であり、図１のように組立て前の薄い平面状の状態である。
図２で示しすように本体（１）を開くように広げる。図３が前面広告面（２）が畳まれた状態であり、図４で前面広告面（２）を起こすためにストッパー爪（７）を指（１０）で押しこむ。前面広告面（２）が自然に畳まれないようにストッパー爪（７）が支えとなり容易に前面広告面（２）の傾斜が固定される。このように組立てられた状態が図５である。図６が店頭での展示販売時の使用形態であり、前面広告面（２）の一部に試用品サンプル入れ（５）があり、ここに商品の試用品サンプル（８）が収納される。後ろ側には商品収納部分（６）があり、ここに販売用商品（９）が複数個陳列される。本体（１）の側面には側面広告面（３）と背面上部には背面広告面（４）があり商品訴求を行い販売促進を図る。
【符号の説明】
【０００８】１    本体
２    前面広告面
３    側面広告面
４    背面広告面
５    試用品サンプル入れ
６    商品収納部分
７    ストッパー爪
８    試用品サンプル
９    販売用商品
１０  指
【図１】
2015029887.tif 000003
【図２】
2015029887.tif 000004
【図３】
2015029887.tif 000005
【図４】
2015029887.tif 000006
【図５】
2015029887.tif 000007
【図６】
2015029887.tif 000008
(57)【要約】【課題】  本発明は、水に手を直接触れることなく、米を研ぐことができるとともに、容器を傷つけることがない構造の米研ぎ具を提供することを課題とする。【解決手段】  作業者により把持される把持部と、その下方に設けられた米研ぎ部とを有する米研ぎ具であって、前記米研ぎ部が次の構成を具備することを特徴とする、米研ぎ具を提供することで、課題を解決した。（Ａ）前記米研ぎ部は、シリコンゴム等の柔軟な材料により構成されていること。（Ｂ）前記米研ぎ部は、略球状または略楕円球状の形状をしていること。（Ｃ）前記米研ぎ部は、表面に、突起や凹凸のない形状であること。【選択図】図１
2015029895.tif 000002
【特許請求の範囲】
【請求項１】
作業者により把持される把持部と、その下方に設けられた米研ぎ部とを有する米研ぎ具であって、前記米研ぎ部が次の構成を具備することを特徴とする、米研ぎ具。
（Ａ）前記米研ぎ部は、シリコンゴム等の柔軟な材料により構成されていること。
（Ｂ）前記米研ぎ部は、略球状または略楕円球状の形状をしていること。
（Ｃ）前記米研ぎ部は、表面に、突起や凹凸のない形状であること。
【請求項２】
前記米研ぎ具本体に、水を通すが米を通さない網目状の水切り部を、有することを特徴とする請求項１に記載の米研ぎ具。
【発明の詳細な説明】
【技術分野】
【０００１】  本発明は、米研ぎ作業を容易に行うことができる米研ぎ具に関する。
【背景技術】
【０００２】  従来、米はボウルや炊飯器の内釜等の容器の中で、直接手でもみ洗いするように研ぐのが一般的であった。しかし、米を研ぐのに、水に手を直接触れるので、手が荒れる等の問題があった。
【発明の概要】
【発明が解決しようとする課題】
【０００３】  本発明は、前記の従来技術の問題を解決し、水に手を直接触れることなく、米を研ぐことができるとともに、容器を傷つけることがない構造の米研ぎ具を提供することを目的とする。
【課題を解決するための手段】
【０００４】  上記課題を解決するための手段として、本発明に係る米研ぎ具は、
作業者により把持される把持部と、その下方に設けられた米研ぎ部とを有する米研ぎ具であって、前記米研ぎ部が次の構成を具備することを特徴とする。
（Ａ）前記米研ぎ部は、シリコンゴム等の柔軟な材料により構成されていること。
（Ｂ）前記米研ぎ部は、略球状または略楕円球状の形状をしていること。
（Ｃ）前記米研ぎ部は、表面に、突起や凹凸のない形状であること。【０００５】  上記課題解決手段による作用は次の通りである。すなわち、容器の中に米と水を入れ、前記米研ぎ具の米研ぎ部で、米を攪拌することで、水に手を直接触れることなく、米を研ぐことができる。また、前記米研ぎ部が、シリコンゴム等の柔軟な材料により構成されており、略球状または略楕円球状の形状をしているとともに、表面に、突起や凹凸のない形状であることから、容器を傷つけずに、米を研ぐことができる。
【発明の効果】
【０００６】  上述したように、本発明の米研ぎ具は、水に手を直接触れることなく、米を研ぐことができるとともに、容器を傷つけることがない構造の米研ぎ具を提供できる。【０００７】  また、前記米研ぎ具本体に、水を通すが米を通さない網目状の水切り部を設けることで、水に手を直接触れることなく水切りすることができる。
【図面の簡単な説明】
【０００８】
【図１】  本発明の実施形態を示す米研ぎ具の一例の斜視図
【図２】  図１の米研ぎ器で米を研いでいる状態の一例の斜視図
【図３】  図１の米研ぎ器で水切りしている状態の一例の斜視図
【発明を実施するための形態】
【０００９】  以下、本発明の実施の形態を図１〜図３に基づいて説明する。
【００１０】  図１においては、作業者により把持される把持部２１と、その下方に設けられた米研ぎ部２２とを有する米研ぎ具であって、前記米研ぎ部２２が、次の構成を具備することを特徴とする、米研ぎ具の一例を図示している。
（Ａ）前記米研ぎ部２２は、シリコンゴム等の柔軟な材料により構成されていること。
（Ｂ）前記米研ぎ部２２は、略球状または略楕円球状の形状をしていること。
（Ｃ）前記米研ぎ部２２は、表面に、突起や凹凸のない形状であること。
【００１１】  また、図１においては、前記米研ぎ具本体に、水を通すが米を通さない網目状の水切り部２３を、有することを特徴とする米研ぎ具の一例を図示している。
【００１２】    図２に示すように、容器３１の中に米と水３２を入れ、前記米研ぎ具の米研ぎ部２２で、米を攪拌することで、水に直接手を触れることなく、米を研ぐことができる。また、前記米研ぎ部２２が、シリコンゴム等の柔軟な材料により構成されており、略球状または略楕円球状の形状をしているとともに、表面に、突起や凹凸のない形状であることから、容器３１を傷つけずに、米を研ぐことができる。
【００１３】  また、図３に示すように、米研ぎ具本体に、水を通すが米を通さない網目状の水切り部２３を設けていることから、水に直接手を触れることなく水切りすることができる。
【００１４】  なお、前記米研ぎ部２２の材料は、柔軟な材料で容器を傷つけない材料であれば、シリコンゴム以外の樹脂等の柔軟な材料であってもよい。
【符号の説明】
【００１５】２１  把持部
２２  米研ぎ部
２３  水切り部
３１  容器
３２  米と水
【図１】
2015029895.tif 000003
【図２】
2015029895.tif 000004
【図３】
2015029895.tif 000005
(57)【要約】【課題】マンションのベランダでの布団干しで日光が当たるようにした布団干し具。【解決手段】布団を広げて載せる布団台（１）を、これを載せる台（２）に固定した布団干し具。【選択図】図１
2015029893.tif 000002
【特許請求の範囲】
【請求項１】
布団台（１）をベランダの壁（５）の上に大体平らに置くように、これを載せる台（２）に固定した布団干し具
【発明の詳細な説明】
【技術分野】
【０００１】本案はベランダの布団干し具に関するものである。
【背景技術】
【０００２】従来、ベランダの壁の上に布団を平らに置いて干す布団干し具はなかった。
【先行技術文献】
【特許文献】
【０００３】
【特許文献１】特許公開２００６−４３０７０
【特許文献２】特許公開２００１−１７７９６
【発明の概要】
【発明が解決しようとする課題】
【０００４】マンションのベランダでの布団干しは日当たりが少なく、これを解消するため布団を広げて全面に日光が当たるようにする。
【課題を解決するための手段】
【０００５】ベランダの壁の上に布団を平らに広げて載せるための布団台（１）を設けた布団干し具。
【発明の効果】
【０００６】マンションのベランダでの布団干しは日当たりが少ないのが欠点であるが、本案の布団干し具では布団の全面に日光が当たるようになる。
【図面の簡単な説明】
【０００７】
【図１】本案の概略斜視図である。
【図２】本案の側面図である。（一部省略）
【発明を実施するための形態】
【０００８】布団を載せる布団台（１）をベランダの壁（５）の少し上にほぼ平らな状態に置けるようにした布団干し具である。布団台（１）は周囲に立て枠を設け、これに布団押さえの穴（７）を設ける。固定用の穴を設けたＬ型の補強材（４）を下面の適所に２本固定する。底は網目状にする。固定台は広めのベースに支持部（３）を設け、支持部（３）の上端にこれとＴ状になるようにＬ型の台（２）を固定し、これに布団台（１）を固定するための取り付け穴（６）を設ける。この固定台を２本、補強材（４）の間隔に合わしてベランダの壁（５）の内側にアンカーボルトで固定する。この２本の固定台の上に布団台（１）を載せてボルトで固定する。
【符号の説明】
【０００９】１布団台          ２台
３支持部          ４補強材
５壁              ６取り付け穴
７穴
【図１】
2015029893.tif 000003
【図２】
2015029893.tif 000004
(57)【要約】      （修正有）【課題】箸の先端部分だけでなく、頭部分も有効的に利用しようとする【解決手段】箸２の頭部に凸凹状のスベリ止め１を施し、食べ物を挟んで食べる場合に掴み易くし、また、先が尖っているので食べ物にトンガリ部分を刺しこんで食べ易くしたものである。【選択図】図１
2015029892.tif 000002
【特許請求の範囲】
【請求項１】
箸の頭部に凸凹状のスベリ止めを施し、食べ物を挟んで食べる場合に掴み易くし、また先が尖っているので食べ物にトンガリ部分を刺して食べ易くしたものである。
【発明の詳細な説明】
【発明の詳細な説明】
【０００１】本発明は、図面に示す通り、箸の先端部分だけでなく、頭部分も有効的に利用しようとするにある。
箸の頭部に凸凹状のスベリ止めを施し食べ物を掴み易くして、箸全体を有効的に利用しょうとするにある。
【図面の簡単な説明】
【図１】箸の頭部に凸凹のスベリ止めを施した箸。
【符号の説明】１、凸凹の面や溝等。
２、箸の本体。
【図１】
2015029892.tif 000003
(57)【要約】【課題】  これまで技術的に困難とされてきたワニ（特にクロコダイル）素材の防水加工技術の提供を目的とするものである。【解決手段】  天然素材の表面素材と裏面素材と中芯素材とからなる防水加工された皮革製時計バンドであって、表面素材は、ワニ革（クロコダイル）を染色加脂工程で同時に防水加工を施し、ワニ革の繊維に防水材が定着しており、裏面素材および中芯素材も、各々の染色加脂工程で同時に防水加工を施し、同素材中の繊維に防水材が定着していることを特徴とする。【選択図】  なし【特許請求の範囲】
【請求項１】
天然素材の表面素材と裏面素材と中芯素材とからなる防水加工された皮革製時計バンドであって、
表面素材は、ワニ革（クロコダイル）を染色加脂工程で同時に防水加工を施し、ワニ革の繊維に防水材が定着しており、
裏面素材および中芯素材も、各々の染色加脂工程で同時に防水加工を施し、同素材中の繊維に防水材が定着していることを特徴とする防水加工された皮革製時計バンド。
【請求項２】
請求項１記載の皮革製時計バンドを備えたことを特徴とする腕時計。
【請求項３】
天然素材の表面素材と裏面素材と中芯素材とからなる防水加工された皮革製時計バンドの製造方法であって、
表面素材と裏面素材と中芯素材とは、各々の染色加脂工程で同時に防水加工を施し、同素材中の繊維に防水材を定着させることを特徴とする防水加工された皮革製時計バンドの製造方法。
【発明の詳細な説明】
【技術分野】
【０００１】
本願発明は、皮革製の時計バンドに関するものである。
【背景技術】
【０００２】
防水加工された皮革製時計バンドに関する先行文献としては、特許文献１に開示されたものがある。
特許文献１に開示された皮革製時計バンドの防水加工技術とは、予め防水処理を施したポリウレタンとポリエステル不織布との積層体よりなる芯材の両面に、同じく防水処理を施した表材と裏材とを重ね合せてバンド体として接着するとともに、接着して一体化したこのバンド体にさらに防水処理を施すことのよって防水性を有する革バンドを構成するようにしたものであり、また、この革バンドの製造方法として、芯材とこの芯材の表裏面に接合する皮革材とをこれぞれ単体の状態で防水処理し、ついで芯材の表裏面に皮革材を重ね合せて接着し、最後に、接着一体化したバンド体に再度防水処理を施すことにより、防水性を有するバンド体を構成するようにしたものである。
【先行技術文献】
【特許文献】
【０００３】
【特許文献１】特許第２８３５９３３号公報
【発明の概要】
【発明が解決しようとする課題】
【０００４】
特許文献１の皮革製時計バンドの防水加工技術では、天然素材の皮革について、「また、皮革材２、６として天然皮革を用いた場合には、単体での防水処理段階で、皮革材２、６を引っ張りながらこれらに防水処理を施すことができ、これにより、繊維が複雑にからみ合った皮革材に対してもこれらの各部に等しく防水剤を浸透させることができる。」と記載されているのみである（同明細書［００１６］）。
【０００５】
しかし、爬虫類の中でも「皮革の王様」といわれる「ワニ」、特にクロコダイルの皮革については、繊維が密であり、特許文献１の防水加工技術では、到底使用に耐えうる防水加工は施せない。また、特許文献１の防水加工技術には、数ある皮革の製造工程においてどの段階で防水加工を施すのか全く不明である。
【０００６】
これに対して、本願出願人は、これまで技術的に困難とされてきたワニ（特にクロコダイル）素材の防水加工技術の提供を目的とし、本願発明を完成させるに至った。
【課題を解決するための手段】
【０００７】
上記目的を達成するために、本願発明は、天然素材の表面素材と裏面素材と中芯素材とからなる防水加工された皮革製時計バンドであって、表面素材は、ワニ革（クロコダイル）を染色加脂工程で同時に防水加工を施し、ワニ革の繊維に防水材が定着しており、裏面素材および中芯素材も、各々の染色加脂工程で同時に防水加工を施し、同素材中の繊維に防水材が定着していることを特徴とするものである。
また、天然素材の表面素材と裏面素材と中芯素材とからなる防水加工された皮革製時計バンドの製造方法であって、表面素材と裏面素材と中芯素材とは、各々の染色加脂工程で同時に防水加工を施し、同素材中の繊維に防水材を定着させることを特徴とするものである。
【発明の効果】
【０００８】
本願発明によれば、実際の使用に耐えうる防水加工された皮革製時計バンドを提供できる（吸水率７％前後）。なお、防水加工されていない皮革製時計バンドの場合で吸水率約１００％程度、通常の防水加工された皮革製時計バンドの場合で吸水率約２０％程度である（自社調べ）。
【発明を実施するための形態】
【０００９】
皮革の製造方法（概略）は、水洗  →  水漬け  →  脱鱗  →  鞣し（なめし）  →  染色・加脂  →  乾燥  →  仕上げ、となっている。
本願発明は、この「染色・加脂」の工程において、これと同時に「防水加工」を施すものである。
【００１０】
本願発明のように、皮革に染色および加脂を施す工程において同時に防水加工を施すことで、皮革素材中の繊維に防水材が強固に定着し、特に、繊維が密であって防水加工のし難いワニ皮に対しても防水材が定着し、革自体が防汚撥水効果を持つ皮革製時計バンドとなるのである。
【００１１】
ここで、本願発明の「防水加工」には、専用の防水材（撥水剤）を使用する。この防水材が皮革素材に含浸されて、皮革素材中の繊維に吸着し定着することで、皮革表面による防水・撥水効果ではなく、皮革全体（皮革内部）に防水・撥水効果を発揮されるものとなる。
【００１２】
なお、本願発明の「防水加工」された表面素材と裏面素材と中芯素材とを組み合わせて成形された時計バンドに対して、専用のトップ剤を塗布し、最終製品としてもよい。なお、このトップ剤の塗布は「色止め」を目的としたものであって、防水を目的としたものではない。本願発明では、時計バンドを構成する各素材（表面素材と裏面素材と中芯素材）に確実な防水加工を施しているので、これら各素材を組み合わせて成形された時計バンドに対して防水加工（例えば、防水液剤中に浸漬するなど）を施す必要がないのである。
【産業上の利用可能性】
【００１３】
本願発明は、皮革製の時計バンド、特に技術的に困難とされてきたワニ（特にクロコダイル）素材の利用できるものである。また、時計バンドに限らず、バッグその他の革製品に広く利用できるものである。
(57)【要約】 【課題】極めて合理的なる土地利用を図ったソーラーパネルの設置を可能化するようにした「植物育成スペースを具備させたソーラーパネルシステム」の提供を図ったものである。【課題を解決するための手段】  所要の土地上に透明資材で製したソーラーパネルを設置し、当該ソーラーパネルの下方を所要の栽培用植物２の植え付けを行ためのスペースとするようにしたことを特徴とする植物育成スペースを具備させたソーラーパネルシステム。【選択図】  図１
2015029473.tif 000002
【特許請求の範囲】
【請求項１】
所要の土地上に透明資材で製したソーラーパネルを設置し、当該ソーラーパネルの下方を所要の栽培用植物２の植え付けを行ためのスペースとするようにしたことを特徴とする植物育成スペースを具備させたソーラーパネルシステム。
【請求項２】
ソーラーパネルを設置するための土地を、遊休の畑または田圃のような遊休土地とした請求項１に記載の植物育成スペースを具備させたソーラーパネルシステム。
【発明の詳細な説明】
【技術分野】
【０００１】
本発明は、野菜等の植物育成を可能とするソーラーパネルの設置形態に関するものである。
【背景技術】
【０００２】
従来、ソーラー発電を行うためのソーラーパネルの設置は、家屋、ビル等の建物の屋根上に設置することを通例とした（例えば、特許文献１及び特許文献２参照。）。  この場合は比較的低出力の発電に限定され、個々の家毎の消費電力が得られる程度である。  そして、大規模のソーラー発電を行う手段としては、例えば遊休農地の利用が考えられ、また、実行に移されている。
【先行技術文献】
【特許文献】
【０００３】
【特許文献１】特開平０８−２６４８２０号公報
【特許文献２】特開２００４−２６３４５４号公報
【発明の概要】
【発明が解決しようとする課題】
【０００４】
上述した遊休農地を利用してソーラー発電を行う場合であるが、土地の上面に直接太陽電池パネルを設置するようにした場合、土地の有効利用とは決して称し得ないばかりでなく、当該太陽電池パネルの設置工事に伴い土地が荒れ、一定期間経過後、これを畑又は田圃として再使用をと要としても企図しても、殆ど不可能とされた。
【０００５】
一方、土地の再利用を断念し、例えば内部に人が入って作業する任意目的の建造物を構築し、その上面に太陽電池パネルを設置するようにすることも考えられる。  然し乍、この場合建物の構築には建築基準法等の法的規制を受けるため、経済的、建設期間的、並びに安全性の確保等に対する負担が著しいものとされる。
【０００６】
本発明はこのような従来の問題を解決し、遊休の畑または田圃等を利用して、極めて合理的なる土地利用を図ったソーラーパネルの設置を可能化するようにした植物育成スペースを具備させたソーラーパネルシステムの提供を図ったものである。
【課題を解決するための手段】
【０００７】
本発明は請求項１に記載のように、所要の土地上に透明資材で製したソーラーパネルを設置し、当該ソーラーパネルの下方を所要の栽培用植物２の植え付けを行ためのスペースとするようにしたことを特徴とする植物育成スペースを具備させたソーラーパネルシステムに係る。
【０００８】
本発明は請求項２に記載のように、ソーラーパネルを設置するための土地を、遊休の畑または田圃のような遊休土地とした請求項１に記載の植物育成スペースを具備させたソーラーパネルシステムを実施の態様とする。
【発明の効果】
【０００９】
本発明は請求項１に記載のように、すなわち、所要の土地上に透明資材で製したソーラーパネルを設置し、当該ソーラーパネルの下方を所要の栽培用植物２の植え付けを行ためのスペースとするようにしたから、ソーラーパネルの透明性に基づき栽培用植物に対する太陽光の照射が阻害されることなく行われる。  従って、土地は発電用と植物栽培用との二つの使用目的が果たされ、その有効利用が成されることとなる。
【００１０】
本発明は請求項２に記載のように、すなわち、ソーラーパネルを設置するための土地を、遊休の畑または田圃のような遊休土地とすることにより、利用性の無かった土地に対する再生的な利用が図られる。
【図面の簡単な説明】
【００１１】
【図１】本発明を表した側面図である。
【発明を実施するための形態】
【００１２】
図において、１はソーラーパネルであって、太陽光を受けて電気を発生させるためのものである。  そして、本発明にあっては、当該ソーラーパネル１の板面が透明資材で形成することにより、表面に受けた太陽光が、同図に矢印で示すように、その下面側に透過可能とするように構成してある。
【００１３】
そして、当該ソーラーパネル１は遊休の畑または田圃等に設置すると共に、当該ソーラーパネル１の下方には野菜等の所要の栽培用植物２の植え付けを行っておく。  これにより、ソーラーパネル１を透過した太陽光が当該栽培用植物２に照射され、その育成が何の不都合もなく達成される。
【００１４】
ところで、ソーラーパネル１の透過率であるが、これは望ましくは１００％であるが、これ以下であっても植物の育成を果たせる程度の太陽光を透過できる程度の透明性であれば可とする。
【００１５】
ソーラーパネル１の設置個所であるが、上記のように遊休の畑または田圃等に設置することによりこれを蘇えさせることが出来るが、  通常の畑等に設置しても良い。  この場合は植物育成を阻害することなく太陽熱発電の実行が可能化されることとなるわけである。
【符号の説明】
【００１６】
１  ソーラーパネル
２  栽培用植物
【図１】
2015029473.tif 000003
(57)【要約】 【課題】  本発明は、主として津波発生時の避難場所として機能させるための防災用築山の提供を図る。【解決手段】  防災用築山であって、当該築山の頂上に導くための複数のエレベーターを当該築山内に設け、当該エレベーターの上昇を、機械による自動的駆動力に依存する手段と、人力による駆動力に依存する手段と、津波による水位上昇に基づく浮揚力に依存する手段とによって行わせるように構成した防災用築山。【選択図】  図１
2015090056.tif 000002
【特許請求の範囲】
【請求項１】
防災用築山であって、当該築山の頂上に導くための複数のエレベーターを当該築山内に設け、当該エレベーターの上昇を、機械による自動的駆動力に依存する手段と、人力による駆動力に依存する手段と、津波による水位上昇に基づく浮揚力に依存する手段とによって行わせるように構成した防災用築山。
【発明の詳細な説明】
【技術分野】
【０００１】
本発明は、主として津波発生時の避難場所として機能させるための防災用築山に関する。
【背景技術】
【０００２】
従来、この種の築山として、防火帯を兼ねた築山内に設ける防災用水槽及び備蓄用倉庫（例えば、特許文献１参照。）が存在する。
【先行技術文献】
【特許文献】
【０００３】
【特許文献１】特開２０１０―２５５２８１号公報
【発明の概要】
【発明が解決しようとする課題】
【０００４】
上述した築山は防災用水槽及び備蓄用倉庫を設けることを主目的とするものであり、避難してくる人間を積極的に手助けする機能には欠けているものである。  本発明は避難して来る人々に対する築山の頂上に導くための積極的対応機能を付加したことを特徴とする新しいタイプの防災用築山を提供するものである。
【課題を解決するための手段】
【０００５】
本発明は請求項１に記載のように、防災用築山であって、当該築山の頂上に導くための複数のエレベーターを当該築山内に設け、当該エレベーターの上昇を、機械による自動的駆動力に依存する手段と、人力による駆動力に依存する手段と、津波による水位上昇に基づく浮揚力に依存する手段とによって行わせるように構成した防災用築山に係る。
【発明の効果】
【０００６】
本発明に係る防災用築山は、請求項１に記載のような構成を採用したから、非常時の避難がエレベーター利用に基づき迅速に行われる。  そして、当該エレベーターの昇降制御は、機械による自動的駆動力に依存する手段と、人力による駆動力に依存する手段と、津波による水位上昇に基づく浮揚力に依存する手段とによって行わせるように構成してあるから、非常時における停電時は手動的に、更には津波が押し寄せた際には当該津波の浮揚力に基づき上方に押し上げさせての避難ということが出来る。
従って、本発明によれば、火災、津波等の緊急時の避難に際し、多くの人間を築山の頂上に安全に避難させることが可能化される。
【図面の簡単な説明】
【０００７】
【図１】本発明の全体を表した説明用横断面図である。
【図２】本発明の全体を表した説明用縦断面図である。
【発明を実施するための形態】
【０００８】
図において、Ａは緑化した築山であって、避難民が内部に逃げ込むための十文字状通路Ｂが形成されている。    Ｃは防災用水槽部、Ｄは非常食等貯蔵用倉庫部であって、前記通路の所要箇所に隣接させて設けられている。(図示の実施例にあっては最奥に設けてある。)
【０００９】
なお、上記した築山Ａは防災公園用の防火帯、並びに津波発生時の高所避難場所として機能するように構成してあり、通常の避難時はその表面に形成した階段等を利用して歩行により頂上に避難する。  そして、緊急を要する場合において、下記するエレベーターを利用して頂上に非難するものである。
【００１０】
１は上記した通路Ｂに面するように形成したエレベーター昇降路、２は当該昇降路１内に昇降自在に収装したエレベーター用籠を示す。  そして、当該籠２の昇降手段は、電動機等の機械による自動的駆動力に依存する手段と、滑車のような人力による駆動力に依存する手段と、津波による水位上昇に基づく浮揚力に依存する手段、これら三者何れの手段もエレベーター用籠２の昇降制御手段として利用可能とするように構成してある。
【００１１】
すなわち、通常は電動機を利用した機械的昇降が行われ、非常時は電気が断たれていることを想定し、滑車のような人力に依存する昇降が行われ、更に、津波が押し寄せた場合は、その浮揚力に基づき籠の上昇が行われるように構成してある。  なお、津波の押上げ力を利用するためには、籠は気密性に保つことが出来るような構成を取っておくことが必要である。
【００１２】
尚、本発明の具体的実施例を挙げれば次の通りである。
１,築山とすることなく枠状の構築物とするようにして実施する場合もある。
２,通常時は上部を展望台として利用が図られるような形態で実施する場合もある。
３,上記実施例の場合、エレベーターは一台だけ運行するように調節して実施する。
４,エレベーターの籠は図示のように２階建てとする以外、１階建てのものを用いて実施する場合もある。  非常時に於いて、２階建ての場合、下段は老人専用とし、若者が乗り込んだ上段で昇降制御を行うようにして実施する場合もある。
【符号の説明】
【００１３】
Ａ  築山
Ｂ  通路
Ｃ  防災用水槽部
Ｄ  貯蔵用倉庫部
１  エレベーター昇降路
２  エレベーター用籠
【図１】
2015090056.tif 000003
【図２】
2015090056.tif 000004